(57)【要約】【課題】排出ダクト１１内に刈取り芝草の堆積による詰まりが発生することを確実に低減できるようにした走行型芝刈機を提供しようとするものである。【解決手段】走行機体１の前車輪２と後車輪３との間に、ロータリーモア８を昇降可能に装着する一方、走行機体１に、刈取り芝草の排出ダクト１１を後方に延びるように配設して成る走行型芝刈機において、排出ダクト１１に、その底部を形成する底板１２の後端側を回動自在に枢着し、更に、底板１２の前端側が、ロータリーモア８と連動して昇降動するように構成したものである。【選択図】図３
2010273687.tif 000002
【特許請求の範囲】
【請求項１】
走行機体の前車輪と後車輪との間に、ロータリーモアを昇降可能に装着する一方、前記走行機体に、刈取り芝草の排出ダクトを後方に延びるように配設して成る走行型芝刈機において、
前記排出ダクトに、その底部を形成する底板の後端側を回動自在に枢着し、更に、前記底板の前端側が、前記ロータリーモアと連動して昇降動するように構成したことを特徴とする走行型芝刈機。
【請求項２】
前記ロータリーモアに、その刈取り芝草の排出口に被さる連通ダクトを回転自在に枢着して、この連通ダクトの後端側を、前記排出ダクト内に挿入したことを特徴とする請求項１に記載の走行型芝刈機。
【発明の詳細な説明】
【技術分野】
【０００１】
本発明は、走行機体に、ロータリーモアを昇降可能に装着して成る走行型芝刈機に関するものである。
【背景技術】
【０００２】
従来、この種の走行型芝刈機は、例えば、特開平９−９７５７号公報等に記載されているように、一対の左右の前車輪及び同じく一対の左右の後車輪にて支持された走行機体のうち、前記左右の前車輪と左右の後車輪との間の部位に、ロータリーモアを昇降可能に装着し、このロータリーモアによって地上の芝草を適宜高さに刈取るように構成している。
【０００３】
しかし、この従来における走行型芝刈機は、そのロータリーモアによって刈取った刈取り芝草を、前記ロータリーモアにおける左右方向の一側面に設けた排出口より排出するようにしているから、その横幅寸法が増大し、大型化を招来するのであった。
【０００４】
そこで、最近の走行型芝刈機においては、前記ロータリーモアからの排出ダクトを、走行機体における下面側のうち左右の後車輪間の部位に後方に延びるように配設して、前記ロータリーモアにおいて刈取った刈取り芝草をこの排出ダクトを介して後方に放出するように構成している。
【先行技術文献】
【特許文献】
【０００５】
【特許文献１】特開平９−９７５７号公報
【発明の概要】
【発明が解決しようとする課題】
【０００６】
しかし、前記ロータリーモアは、刈り高さ調節及び非刈り状態で走行するときに、走行機体に対して昇降可能に装着されるものであるから、このロータリーモアから後方に延びる排出ダクトも、当該ロータリーモアと一緒に昇降可能に構成しなければならない。したがって、構造が複雑化するばかりか、地面からの走行機体までの高さも高くしなければならず、機体高さが高くなるという問題がある。
【０００７】
本発明は、この問題を解消することを技術的課題とするものである。
【課題を解決するための手段】
【０００８】
前記目的を達成するため、請求項１に係る発明の走行型芝刈機は、走行機体の前車輪と後車輪との間に、ロータリーモアを昇降可能に装着する一方、前記走行機体に、刈取り芝草の排出ダクトを後方に延びるように配設して成る走行型芝刈機において、前記排出ダクトに、その底部を形成する底板の後端側を回動自在に枢着し、更に、前記底板の前端側が、前記ロータリーモアと連動して昇降動するように構成したことを特徴としている。
【０００９】
請求項２に記載の発明は、請求項１に記載の走行型芝刈機において、前記ロータリーモアに、その刈取り芝草の排出口に被さる連通ダクトを回転自在に枢着して、この連通ダクトの後端側を、前記排出ダクト内に挿入したことを特徴とする。
【発明の効果】
【００１０】
請求項１に記載の発明によれば、走行機体の前車輪と後車輪との間に、ロータリーモアを昇降可能に装着する一方、前記走行機体に、刈取り芝草の排出ダクトを後方に延びるように配設して成る走行型芝刈機において、前記排出ダクトに、その底部を形成する底板の後端側を回動自在に枢着し、更に、前記底板の前端側が、前記ロータリーモアと連動して昇降動するように構成したものであるから、前記ロータリーモアにて刈り取った刈取り芝草が前記排出ダクトを介して後方にスムーズに放出されるものでありながら、前記排出ダクトを昇降動することなく、前記ロータリーモアのみを昇降動することができ、構造を簡単化できるとともに、地面から前記走行機体までの高さ、ひいては、機体の高さを低くすることができる。前記底板を通過する刈取り芝草は、前記排出ダクト内における高い部位に導いたのち、前記排出ダクトから放出されることになるから、刈り高さを低くした場合に、前記排出ダクト内に刈取り芝草の堆積による詰まりが発生することを確実に低減できる。
【００１１】
請求項２に記載の発明によれば、前記ロータリーモアに、その刈取り芝草の排出口に被さる連通ダクトを回転自在に枢着して、この連通ダクトの後端側を、前記排出ダクト内に挿入したものであるから、前記ロータリーモアに近づけるように下降動することで芝草の刈り高さを低くした場合、これに連動して、このロータリーモアと前記排出ダクトとを連通する前記連通ダクトは、その前端側（ロータリーモア側）が低く後端側（排出ダクト側）が高くなるように後方に向かって上向きに傾斜するとともに、この後方に向かって上向きへの傾斜角度が、芝草の刈り高さを低くすることに比例して大きくなるから、前記排出ダクトを介して後方に排出させる刈取り芝草の放出性をより向上できる。
【図面の簡単な説明】
【００１２】
【図１】本発明の実施の形態による走行型芝刈機の側面図である。
【図２】図１の平面図である。
【図３】図１の要部を示す拡大縦断正面図である。
【図４】図３のIV−IV視平断面図である。
【図５】図３のＶ−Ｖ視断面図である。
【図６】図３においてロータリーモアを上昇動した状態を示す図である。
【発明を実施するための形態】
【００１３】
以下、本発明の実施の形態を、図１〜図６の図面について説明する。図１及び図２において、符号１は、左右一対の前車輪２と、同じく左右一対の後車輪３とで支持された走行機体を示し、この走行機体１には、その前部上面にエンジン４と操縦ハンドル５とが前後に並べて設けられ、その後部上面に操縦座席６と走行ミッション機構７とが上下に重ねて設けられている。
【００１４】
また、前記走行機体１の下面側で、且つ、前記両前車輪２と両後車輪３との間には、左右一対の回転式刈り刃８ａ，８ｂと、この両刈り刃８ａ，８ｂの全体を覆うカバー体８ｃから成るロータリーモア８が、昇降動可能に装着されている。なお、このロータリーモア８の昇降動機構は省略している。
【００１５】
前記エンジン４における出力軸４ａを、当該エンジン４から下向きに突出して、この出力軸４ａの回転を無端ベルト９を介して前記走行ミッション機構７に伝達して、前記両後車輪３を回転駆動することにより、前記走行機体１の前進走行又は後退走行を行うように構成されている。
【００１６】
一方、前記エンジン４における出力軸４ａの回転を無端ベルト機構１０を介して前記ロータリーモア８における両回転式刈り刃８ａ，８ｂに伝え、この両回転式刈り刃８ａ，８ｂを矢印で示す方向に互いに逆回転することにより、芝草の刈り取りを行うとともに、刈り取った刈取芝を、両回転式刈り刃８ａ，８ｂの回転にて発生する風と一緒に、カバー体８ｃにおける後側の略中心の部分に設けた排出口８ｄから後方に向かって放出するように構成されている。
【００１７】
前記走行機体１の後部下面側には、断面下向きコ字状にした排出ダクト１１が、両後車輪３の間を後方に延びるように設けられ、この排出ダクト１１における天井板１１ａは、水平面に対して適宜角度θ１だけ後方に向かって斜め上向きに傾斜している。
【００１８】
また、前記排出ダクト１１内における底部には、当該排出ダクト１１の底部を形成するように断面上向きコ字状にした底板１２が配設され、この底板１２の後端は、排出ダクト１１に対してピン１３にて回動自在に枢着されている一方、その前端は、前記ロータリーモア８又はその昇降動機構に、ロータリーモア８と一緒に昇降動するように図示しない連結機構を介して連結されている。
【００１９】
そして、前記ロータリーモア８におけるカバー体８ｃと、前記排出ダクト１１との間には、カバー体８ｃにおける排出口８ｄを排出ダクト１１内に対して連通するための断面下向きコ字状にした連通ダクト１４が配設され、この連通ダクト１４の前端は、前記カバー体８ｃに対してピン１５を介して屈曲自在に連結されている一方、その後端は、当該後端に穿設した長溝孔１６に排出ダクト１１に設けたピン１７を摺動自在に嵌めることにより、排出ダクト１１に対して屈曲自在に連結されている。
【００２０】
この構成において、走行機体１を前進走行した状態で、図３に示すように、ロータリーモア８を地面に近づけるように下降動してその両回転式刈り刃８ａ，８ｂを回転駆動することにより、地面における芝草を所定の高さに刈り取ることができ、この刈り取った刈取芝は、カバー体８ｃにおける排出口８ｄから連通ダクト１４を介して排出ダクト１１内に導かれ、排出ダクト１１より後方に放出される。
【００２１】
この場合において、前記ロータリーモア８を地面から離れるように上昇動したときには、図６に示すように、このロータリーモア８と排出ダクト１１とを連通する連通ダクト１４は、略水平の状態にある。
【００２２】
これに対して、前記ロータリーモア８を地面に近づけるように下降動することで芝草の刈り高さを低くした場合、これに連動して、このロータリーモア８と排出ダクト１１とを連通する連通ダクト１４は、その前端側（ロータリーモア側）が低く後端側（排出ダクト側）が高くなるように後方に向かって上向きに傾斜するとともに、この後方に向かって上向きへの傾斜角度θ２が、刈り高さを低くすることに比例して大きくなる。
【００２３】
これにより、この連通ダクト１４を通過する刈取芝は、排出ダクト１１内における高い部位に導いたのち、排出ダクト１１から放出されることになるから、刈り高さを低くした場合に、排出ダクト１１内に刈取芝の堆積による詰まりが発生することを確実に低減できる。
【００２４】
また、前記排出ダクト１１における天井板１１ａは、水平面に対して適宜角度θ１だけ後方に向かって斜め上向きに傾斜していることにより、前記連通ダクト１４から排出ダクト１１内に導入した刈取芝が排出ダクト１１の天井板１１ａに当たって落下することを低減できる。
【００２５】
図３乃至図６から明らかなように、走行機体１の前車輪２と後車輪３との間に、ロータリーモア８を昇降可能に装着する一方、走行機体１に、刈取り芝草の排出ダクト１１を後方に延びるように配設して成る走行型芝刈機において、排出ダクト１１に、その底部を形成する底板１２の後端側を回動自在に枢着し、更に、底板１２の前端側が、ロータリーモア８と連動して昇降動するように構成している。したがって、ロータリーモア８にて刈り取った刈取り芝草が排出ダクト１１を介して後方にスムーズに放出されるものでありながら、排出ダクト１１を昇降動することなく、ロータリーモア８のみを昇降動することができ、構造を簡単化できるとともに、地面から走行機体１までの高さ、ひいては、機体１の高さを低くすることができる。底板１２を通過する刈取り芝草は、排出ダクト１１内における高い部位に導いたのち、排出ダクト１１から放出されることになるから、刈り高さを低くした場合に、排出ダクト１１内に刈取り芝草の堆積による詰まりが発生することを確実に低減できる。
【００２６】
図３乃至図６から明らかなように、ロータリーモア８に、その刈取り芝草の排出口８ｄに被さる連通ダクト１４を回転自在に枢着して、この連通ダクト１４の後端側を、排出ダクト１１内に挿入している。したがって、ロータリーモア８に近づけるように下降動することで芝草の刈り高さを低くした場合、これに連動して、このロータリーモア８と排出ダクト１１とを連通する連通ダクト１４は、その前端側（ロータリーモア８側）が低く後端側（排出ダクト１１側）が高くなるように後方に向かって上向きに傾斜するとともに、この後方に向かって上向きへの傾斜角度が、芝草の刈り高さを低くすることに比例して大きくなるから、排出ダクト１１を介して後方に排出させる刈取り芝草の放出性をより向上できる。
【符号の説明】
【００２７】
１          走行機体
２          前車輪
３          後車輪
４          エンジン
８          ロータリーモア
８ｄ        刈取芝の排出口
１１        排出ダクト
１２        底板
１４        連通ダクト
【図１】
2010273687.tif 000003
【図２】
2010273687.tif 000004
【図３】
2010273687.tif 000005
【図４】
2010273687.tif 000006
【図５】
2010273687.tif 000007
【図６】
2010273687.tif 000008